(57)【特許請求の範囲】
【請求項１】
筒状の筆記具本体の側面に設けられたノック部の押下動作及び復帰動作の反復により、前記筆記具本体の先端部から芯を出し入れする回転式変化ペンにおいて、
前記筆記具本体の基端部に取り付けられたキャラクタと、
前記ノック部と前記キャラクタとの間に介装された連動機構と、を備え、
前記キャラクタは、前記筆記具本体の基端部側に取り付けられた支持部材と、
前記筆記具本体の長手方向に直交する方向の回転中心を基準として、前記支持部材により回転可能に支持されるとともに、回転方向に分割された複数の異なる表記を表面に有する回転体と、
前記支持部材により前記回転中心を基準として回転可能に支持されて、前記回転体の複数の異なる表記のうちの所定の位置に配置された部分を露出させる第１位置と、前記所定の位置に配置された部分を覆う第２位置との間を回転可能な被物と、
前記回転体と前記支持部材との間に介装された第１ワンウェイクラッチと、
前記回転体と前記被物との間に介装された第２ワンウェイクラッチと、を有し、
前記連動機構は、前記ノック部の押下動作に伴って、前記被物を前記第１位置から前記第２位置まで回転させるとともに、前記第２ワンウェイクラッチを介して前記回転体を同方向に回転させ、また、前記ノック部の復帰動作に伴って、前記被物を前記第２位置から前記第１位置まで回転させるとともに、前記第１ワンウェイクラッチを介して前記回転体をそのままの位置に保持する、
ことを特徴とする回転式変化ペン。
【請求項２】
前記回転体が球状に形成された、頭部であり、
前記複数の異なる表記が前記頭部の顔の、複数の異なる表情であり、
前記所定の位置が、前記顔が配置される位置である、
ことを特徴とする請求項１に記載の回転式変化ペン。
【請求項３】
前記回転体が、円柱状に形成されている、
ことを特徴とする請求項１に記載の回転式変化ペン。
【請求項４】
前記支持部材は、前記被物の左側及び右側をそれぞれ回転自在に支持するとともに、両腕を模して形成されている、
ことを特徴とする請求項２に記載の回転式変化ペン。
【請求項５】
前記被物の前記第１位置と前記第２位置との間の角度が、３６０度を前記回転体の前記複数の異なる表記の数で割った角度に設定されている、
ことを特徴とする請求項１ないし４のいずれか１項に記載の回転式変化ペン。
【発明の詳細な説明】
【技術分野】
【０００１】
本発明は、ノック部の動作に対応して、例えば、顔の表情を変化させる回転式変化ペンに関する。
【背景技術】
【０００２】
サイドノック式の筆記具において、ノック部（操作レバー）の押下動作に連動して、キャラクタを模した形象物が回転するように構成した筆記具が知られている（例えば、特許文献１参照）。
【０００３】
このものは、筆記具本体の内部に長尺の回転軸が配置されていて、この回転軸における筆記具本体の基端部から突出する部分にキャラクタが取り付けられている。操作レバーには、内周面に螺旋溝が形成されたスライド部材が係合されていて、この螺旋溝には、回転軸から突出された凸部が螺合している。操作レバーを押し下げると、芯が出るとともに、スライド部材が押し下げられ、その螺旋溝に凸部が螺合されている回転軸が回転する。この回転軸の回転に伴って、キャラクタが回転するようになっている。
【先行技術文献】
【特許文献】
【０００４】
【特許文献１】特開２００３−１９３６７号公報
【発明の概要】
【発明が解決しようとする課題】
【０００５】
しかしながら、特許文献１によると、操作レバーの押下動作に連動して、キャラクタが回転するものの、キャラクタ自体の形状が変化したり、姿勢が変化したりするものではないので、意外性や面白みに欠けるという問題があった。
【０００６】
そこで、本発明は、ノック部（操作レバー）の動きに連動して、例えば、キャラクタの表情を変化させることで、意外性や面白みを増すようにした回転式変化ペンを提供することを目的とするものである。
【課題を解決するための手段】
【０００７】
請求項１に係る発明は、筒状の筆記具本体の側面に設けられたノック部の押下動作及び復帰動作の反復により、前記筆記具本体の先端部から芯を出し入れする回転式変化ペンにおいて、前記筆記具本体の基端部に取り付けられたキャラクタと、前記ノック部と前記キャラクタとの間に介装された連動機構と、を備え、前記キャラクタは、前記筆記具本体の基端部側に取り付けられた支持部材と、前記筆記具本体の長手方向に直交する方向の回転中心を基準として、前記支持部材により回転可能に支持されるとともに、回転方向に分割された複数の異なる表記を表面に有する回転体と、前記支持部材により前記回転中心を基準として回転可能に支持されて、前記回転体の複数の異なる表記のうちの所定の位置に配置された部分を露出させる第１位置と、前記所定の位置に配置された部分を覆う第２位置との間を回転可能な被物と、前記回転体と前記支持部材との間に介装された第１ワンウェイクラッチと、前記回転体と前記被物との間に介装された第２ワンウェイクラッチと、を有し、前記連動機構は、前記ノック部の押下動作に伴って、前記被物を前記第１位置から前記第２位置まで回転させるとともに、前記第２ワンウェイクラッチを介して前記回転体を同方向に回転させ、また、前記ノック部の復帰動作に伴って、前記被物を前記第２位置から前記第１位置まで回転させるとともに、前記第１ワンウェイクラッチを介して前記回転体をそのままの位置に保持する、ことを特徴とする。
【０００８】
請求項２に係る発明は、請求項１に係る回転式変化ペンにおいて、前記回転体が球状に形成された頭部であり、前記複数の異なる表記が前記頭部の顔の、複数の異なる表情であり、前記所定の位置が、前記顔が配置される位置である、ことを特徴とする。
【０００９】
請求項３に係る発明は、請求項１に記載の回転式変化ペンにおいて、前記回転体が、円柱状に形成されている、ことを特徴とする。
【００１０】
請求項４に係る発明は、請求項２に係る回転式変化ペンにおいて、前記支持部材は、前記被物の左側及び右側をそれぞれ回転自在に支持するとともに、両腕を模して形成されている、ことを特徴とする。
【００１１】
請求項５に係る発明は、請求項１ないし４のいずれか１項に係る回転式変化ペンにおいて、前記被物の前記第１位置と前記第２位置との間の角度が、３６０度を前記回転体の前記複数の異なる表記の数で割った角度に設定されている、ことを特徴とする。
【発明の効果】
【００１２】
請求項１の発明によれば、ノック部の押下動作、復帰動作ごとに、被物が回転体の複数の異なる表記のうちの所定の位置に配置された部分の被覆と露出とを繰り返し、その都度、回転体の異なる表記が露出されることになり、興趣のある構成とすることができる。
【００１３】
請求項２の発明によれば、ノック部の押下動作、復帰動作ごとに、被物が、顔の位置する部分の被覆と露出とを繰り返し、その都度、顔の表情が変化する。
【００１４】
請求項３の発明によれば、回転体が円柱状に形成されているので、回転体が球状の顔の場合とは異なる興趣ある構成とすることができる。
【００１５】
請求項４の発明によれば、両腕で被物の左右を抑えているように見えて興趣がある。
【００１６】
請求項５の発明によれば、回転体が回転されたときの位置を精度よく位置決めすることができる。
【図面の簡単な説明】
【００１７】
【図１】（Ａ），（Ｂ），（Ｃ），（Ｄ）はノック前（ノックアップ時）の回転式変化ペン１を示す図であり、（Ａ）は正面図、（Ｂ）は（Ａ）中のＡ−Ａ線矢視図、（Ｃ）は左側面図、（Ｄ）は正面側斜め上方から見た斜視図である。
【図２】（Ａ），（Ｂ），（Ｃ），（Ｄ）はノック後（ノックダウン時）の回転式変化ペン１を示す図であり、（Ａ）は正面図、（Ｂ）は（Ａ）中のＢ−Ｂ線矢視図、（Ｃ）は左側面図、（Ｄ）は正面側斜め上方から見た斜視図である。
【図３】（Ａ）〜（Ｇ）は、キャラクタ２０を示す図であり、このうち（Ａ），（Ｂ），（Ｅ），（Ｆ）は、この順に、ヘルメット２４が第１位置Ｐ１にあるときの、正面図、（Ａ）中のＡ−Ａ線矢視図、上面図、正面側斜め上方から見た斜視図である。また、（Ｃ），（Ｄ），（Ｇ）は、この順に、ヘルメット２４が第２位置Ｐ２にあるときの、正面図、左側面図、正面側斜め上方から見た斜視図である。
【図４】キャラクタ２０の分解斜視図である。
【図５】（Ａ），（Ｂ），（Ｃ），（Ｄ）はそれぞれ表情Ｆ１〜Ｆ４が異なる頭部２３を示す正面図である。
【図６】（Ａ），（Ｂ），（Ｃ）は、それぞれ異なる被物を説明する斜視図である。
【図７】回転体が円柱状のドラム４１である例を説明する斜視図である。
【発明を実施するための形態】
【００１８】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
【００１９】
図１〜図５を参照して、本発明を適用した実施形態１に係る回転式変化ペン１について説明する。このうち、図１（Ａ），（Ｂ），（Ｃ），（Ｄ）はノック前（ノックアップ時）の回転式変化ペン１を示す図であり、（Ａ）は正面図、（Ｂ）は（Ａ）中のＡ−Ａ線矢視図、（Ｃ）は左側面図、（Ｄ）は正面側斜め上方から見た斜視図である。
【００２０】
図２（Ａ），（Ｂ），（Ｃ），（Ｄ）はノック後（ノックダウン時）の回転式変化ペン１を示す図であり、（Ａ）は正面図、（Ｂ）は（Ａ）中のＢ−Ｂ線矢視図、（Ｃ）は左側面図、（Ｄ）は正面側斜め上方から見た斜視図である。
【００２１】
図３（Ａ）〜（Ｇ）は、キャラクタ２０を示す図であり、このうち（Ａ），（Ｂ），（Ｅ），（Ｆ）は、この順に、ヘルメット２４が第１位置Ｐ１にあるときの、正面図、（Ａ）中のＡ−Ａ線矢視図、上面図、正面側斜め上方から見た斜視図である。また、（Ｃ），（Ｄ），（Ｇ）は、この順に、ヘルメット２４が第２位置Ｐ２にあるときの、正面図、左側面図、正面側斜め上方から見た斜視図である。
【００２２】
図４は、キャラクタ２０の分解斜視図である。
【００２３】
図５（Ａ），（Ｂ），（Ｃ），（Ｄ）はそれぞれ表情Ｆ１〜Ｆ４が異なる頭部２３を示す正面図である。
【００２４】
なお、以下の説明では、図１〜図５における上側を回転式変化ペン１の基端側（上端側）、下側を回転式変化ペン１の先端側（下端側）として説明する。
【００２５】
まず、回転式変化ペン１全体の概略について説明する。
【００２６】
回転式変化ペン１は、筆記具本体１０と、この筆記具本体１０の上端部に設けられたキャラクタ２０と、これら筆記具本体１０とキャラクタ２０とを連結して連動させる連動機構３０と、を備えて構成されている。回転式変化ペン１は、連動機構３０により、筆記具本体１０のノック部（操作レバー）１３の押下動作に伴って、被物（かぶりもの）としてのヘルメット２４が第１位置Ｐ１から第２位置Ｐ２に移動して、頭部２３の顔部側を覆うとともに、頭部２３を９０度回転させる。また、ノック部１３の復帰動作に伴って頭部２３はそのままの位置を保持し、ヘルメット２４が第２位置Ｐ２から第１位置Ｐ１に復帰する。これにより、頭部２３に描かれている顔の表情Ｆ１〜Ｆ４（図５参照）が入れ替割ったように見える（例えば、表情Ｆ１から表情Ｆ２）。なお、被物とは、頭部２３に被るものの総称であり、ヘルメットの外に、帽子、笠、スカーフ、手ぬぐい等がある。
【００２７】
なお、キャラクタ２０としては、人間、ロボット、動物を模したもにに限定されず、例えば、図７に示すような、物の形状を模したものも含むものとする。
【００２８】
次に、図１〜図５を参照して、回転式変化ペン１について詳述する。
【００２９】
回転式変化ペン１は、筆記具本体１０と、キャラクタ２０と、連動機構３０とを備えて構成されている。
【００３０】
筆記具本体１０は、図１に示すように、上下に延びる筒状の外筒１１と、外筒１１の内側に収納されて筆記に供される芯１２と、芯１２を出し入れするために使用者が指で操作するノック部（操作レバー）１３と、ノック部１３の動作に連動して芯１２を出し入れする回転芯出し機構１４と、を有している。
【００３１】
外筒１１は、軸心Ｃに沿って上下方向に延びる円筒状に形成されており、下端（先端）には下キャップ１５が螺合されている。下キャップ１５の中心には、芯１２の下端側がスライドして出入り可能な透孔１５ａが形成されていて、芯１２は、その下端を、この透孔１５ａの下端から出入りさせる。また、芯１２の下端側には凸部１２ａが形成されていて、芯１２は、この凸部１２ａと下キャップ１５との間に介装された圧縮ばね１７によって上方に付勢されている。芯１２の上端には、後述する回転芯出し機構１４の回転体１４ｂが係合されている。
【００３２】
外筒１１の上端（基端）には、略円筒状の筒状部材１６が昇降可能に配設されている。筒状部材１６は、上半部１６ａが上向きに開口する円筒状に形成され、下半部１６ｂが下向きに開口する円筒状に形成されている。上半部１６ａには後述する、連動機構３０の第１リンク３１の下端部３１ａが係合されていて、第１リンク３１は、筒状部材１６と一体となって昇降する。下半部１６ｂには、後述する回転芯出し機構１４の昇降体１４ａが下方から挿入されている。
【００３３】
ノック部（操作レバー）１３は、外筒１１の上端側の側面に設けられている。外筒１１の上端側の側面には、上下方向に長いガイド孔１１ａが穿設されている。ノック部１３は、衣類のポケット等に引っ掛ける際に使用されるクリップを兼用していて、上端の裏面側（後側）から後方に延びる連結部１３ａがガイド孔１１ａを貫通して、筒状部材１６に固定されている。
【００３４】
ノック部１３は、上述の圧縮ばね１７により、芯１２、後述する回転芯出し機構１４の回転体１４ｂ、昇降体１４ａ、筒状部材１６を介して、上方に付勢された状態で、図１に示すホームポジションＰ３に配置されている。また、ノック部１３は、使用者の指による押下動作によって、図２に示す押下位置Ｐ４に移動される。
【００３５】
回転芯出し機構１４は、昇降体１４ａと、回転体１４ｂと、上述の外筒１１の内周面に形成されて昇降体１４ａの昇降動作をガイドするガイド溝１４ｃとを有している。ガイド溝１４ｃは、深い溝と浅い溝とが周方向に沿って交互に形成されている。なお、回転芯出し機構１４は、一般的なボールペン等に使用されている周知の機構であるのでその詳細についての説明は省略する。
【００３６】
回転芯出し機構１４は、使用者の指によるノック部１３の押下動作に伴い、ノック部１３と一体の筒状部材１６が下降し、圧縮ばね１７が短縮されて昇降体１４ａが下降する。さらに、昇降体１４ａは、回転体１４ｂに回転力を付与しながら下降させるが、回転体１４ｂはガイド溝１４ｃにガイドされている間は回転しない。そして、回転体１４ｂは、ガイド溝１４ｃに沿って下降し、ガイド溝１４ｃの下端から外れると「カチッ」という音とともに回転し、芯１２を介して圧縮ばね１７により上方に付勢されてガイド溝１４ｃに引っかかる。これにより、芯１２は、下キャップ１５の透孔１５ａから下端（先端）を突出させる。
【００３７】
その後、使用者がノック部１３から指を離すと芯１２は突出状態を維持し、また、ノック部１３はホームポジションＰ３に復帰する。回転芯出し機構１４は、同様に、使用者によるノック部１３の次の押下動作により、上述の回転体１４ｂが回転して深いガイド溝１４ｃに入り込むことで芯１２を引っ込めることができる。
【００３８】
なお、筆記具本体１０としては、上述の回転芯出し機構１４を有するものに限定されるものではなく、ノック部１３の押下動作によって筒状部材１６が下降し、ノック部１３の復帰動作によって筒状部材１６が上昇するものであれば、他の構成のものを使用することが可能である。例えば、ノック部１３を押下動作させると、ノック部１３は下降位置で停止されて、芯１２を出し、その後、ノッチ（不図示）を押すことで、ノック部１３がばねの付勢力でホームポジションに復帰し、同時に筒状部材１６が上昇するような構成のものを採用することもできる。
【００３９】
キャラクタ２０は、図３，図４に示すように、胴部２１と、腕部（支持部材）２２と、頭部２３と、被物としてのヘルメット２４と、第１ワンウェイクラッチ２５と、第２ワンウェイクラッチ２６とを有している。
【００４０】
胴部２１は、筆記具本体１０の外筒１１の上端に嵌合する筒状の嵌合部２１ａと、上端を閉蓋する台座部２１ｂとを有している。胴部２１の上側の内側には、左側の前後と右側の前後とにそれぞれ凹部２１ｃが形成されている。また、胴部２１の上端の左右にはそれぞれ半円状の切欠部２１ｄが形成されている。
【００４１】
腕部２２は、左腕部２２Ａと右腕部２２Ｂとによって構成されており、それぞれ外側に延びるとともに上側に向かって湾曲している。左腕部２２Ａ、右腕部２２Ｂの基端部には、それぞれの前後に上述の胴部２１の凹部２１ｃに嵌合する凸部２２ａが突設されている。左腕部２２Ａ、右腕部２２Ｂは、凸部２２ａの少し外側の部分が、上述の胴部２１の切欠部２１ｄによって支持される。左腕部２２Ａの上端内側には凸部２２ｂが形成されていて、後述の第２ワンウェイクラッチ２６の他方側２６Ｂの凹部２６ｃに係合されて、他方側２６Ｂを揺動自在（回転自在）に支持している。右腕部２２Ｂの上端内側には、後述する第１ワンウェイクラッチ２５の他方側２５Ｂが形成されている。
【００４２】
回転体としての頭部２３は、それぞれ半球状のパーツ２３Ａ，２３Ｂを合わせて、全体として球状に形成されている。頭部２３の左側には、後述の第２ワンウェイクラッチ２６の他方側２６Ｂの爪部２６ｂの外周２６ｄが相対回転可能に係合される透孔２３ａが形成されており、また、右側には、後述する第１ワンウェイクラッチ２５の他方側２５Ｂの爪部２５ｂの外周２５ｃが相対回転可能に係合される透孔２３ｂが形成されている。頭部２３は、これら透孔２３ａ，２３ｂの中心が回転軸（回転中心）Ｒとなる。この回転軸Ｒは、筆記具本体１０の長手方向に対して直交する方向に向いている。
【００４３】
頭部２３は、その表面に、４つの異なる顔の表情（異なる表記）Ｆ１，Ｆ２，Ｆ３，Ｆ４（図５参照）が設けられている。例えば、表情Ｆ１は普通の顔、表情Ｆ２は笑い顔、表情Ｆ３は怒り顔、表情Ｆ４は泣き顔となっている。これら表情Ｆ１〜Ｆ４は、頭部２３の表面を、回転方向に４等分するそれぞれに設けられている。なお、本実施形態では、頭部２３は、４つの異なる表情Ｆ１〜Ｆ４を有しているが、後述する第１ワンウェイクラッチ２５、第２ワンウェイクラッチ２６の爪部２５ａ，２５ｂ，２６ａ，２６ｂにおける爪の数を、例えば、３個，５個にすることにより、それぞれ３つの異なる表情、５つの異なる表情とすることも可能である。なお、構成的には、５以上の表情を実現することも可能である。
【００４４】
被物としてのヘルメット２４は、パーツ２４Ａ，２４Ｂを合わせて構成されており、全体として、頭部２３の後頭部から頭頂部を少し超えた、おでこに相当する部分まで覆うように構成されている。ヘルメット２４は、後端下部に、後述する連動機構３０の第３リンク３３の先端が連結される透孔２４ａを有している。ヘルメット２４の左側には、第２ワンウェイクラッチ２６の他方側２６Ｂが係合される凹部２４ｂが形成されている。また、ヘルメット２４の右側には、第１ワンウェイクラッチ２５の他方側２５Ｂの爪部２５ｂの外周２５ｃが相対回転可能に係合される透孔２４ｃが形成されている。ヘルメット２４の前側には、ヘルメット２４が第１位置Ｐ１に配置された際に、頭部２３の顔面側（顔が位置する部分：回転体の複数の異なる表記のうちの所定の位置に配置された部分）に表情Ｆ１〜Ｆ４のうちの１つを露出させるための切欠部２４ｄが形成されている。
【００４５】
第１ワンウェイクラッチ２５は、それぞれ回転軸Ｒ上に配設された一方側２５Ａと他方側２５Ｂとによって構成されている。一方側２５Ａは、外側を向いた面に、周方向に沿って４つの爪を有する爪部２５ａが形成されている。一方、他方側２５Ｂは、内側を向いた面に、周方向に沿って４つの爪を有する爪部２５ｂが形成されている。
【００４６】
第２ワンウェイクラッチ２６は、それぞれ回転軸Ｒ上に配設された一方側２６Ａと他方側２６Ｂとによって構成されている。一方側２６Ａは、外側を向いた面に、周方向に沿って４つの爪を有する爪部２６ａが形成されている。一方、他方側２６Ｂは、内側を向いた面に、周方向に沿って４つの爪を有する爪部２６ｂが形成されている。
【００４７】
第１ワンウェイクラッチ２５及び第２ワンウェイクラッチ２６の一方側２５Ａ，２６Ａは、頭部２３の内側に、頭部２３に対して回転不能で、かつ左右方向移動可能に配設されており、両者間に介装された圧縮ばね２７によってそれぞれ外側に向けて付勢されている。この圧縮ばね２７の付勢力により、第１ワンウェイクラッチ２５にあっては、一方側２５Ａの爪部２５ａが他方側２５Ｂの爪部２５ｂに押しつけられ、第２ワンウェイクラッチ２６にあっては、一方側２６Ａの爪部２６ａが他方側２６Ｂの爪部２６ｂに押しつけられている。
【００４８】
第１ワンウェイクラッチ２５、第２ワンウェイクラッチ２６は、それぞれの他方側２５Ｂ，２６Ｂを固定した場合に、それぞれの一方側２５Ａ，２５Ｂが図４中の反時計回り（矢印Ｒ１方向）に回転するのを許容し、時計回りに回転するのを禁止するようになっている。したがって、第２ワンウェイクラッチ２６については、後述するように、ヘルメット２４と一体の他方側２６Ｂがヘルメット２４とともに第１位置Ｐ１から第２位置Ｐ２に反時計回りに回転すると、一方側２６Ａが同方向に回転し、これにより、頭部２３が同方向にほぼ９０度回転するようになっている。このとき、第１ワンウェイクラッチ２５は外れている。これに対し、ヘルメット２４が第２位置Ｐ２から第１位置Ｐ１に時計回りに回転すると、第２ワンウェイクラッチ２６は外れ、第２ワンウェイクラッチ２５は、係合して頭部２４をその位置に保持する。
【００４９】
図２，図３に示すように、連動機構３０は、筆記具本体１０の上端近傍に配設されており、屈曲形状の第１リンク３１と、直線状の第２リンク３２と、円弧状の第３リンク３３とを有している。
【００５０】
第１リンク３１は、直線状に延びる下端部（基端部）３１ａが上述の筒状部材１６の上半部１６ａに係合されており、上端側（先端側）が前方斜め上方に屈曲され、さらに上方に延びている。上端部（先端部）には、凸部３１ｂが突設されている。
【００５１】
第２リンク３２は、基端側に形成された長孔３２ｂに上述の第１リンク３１の凸部３１ｂが係合され、基端側よりに設けられた揺動中心３２ａを基準に揺動し、先端部３２ｃがピンによって第３リンク３３の基端部３３ａに揺動可能に連結されている。
【００５２】
第３リンク３３は、円弧状に形成されていて、基端部３３ａが第２リンク３２の先端部３２ｃに連結されるとともに、先端部３３ｂが上述のヘルメット２４の透孔２４ａにピンを介して揺動自在に連結されている。第３リンク３３は、円弧状に形成されているので、ヘルメット２４の第１位置Ｐ１に対応して、胴部２１の後部（背中）に倣って配置され、また、第２位置Ｐ２に対応して、頭部２３の後頭部に倣って配置される。このため、違和感がない。
【００５３】
連動機構３０は、第１リンク３１の下降により、その下降量を、第２リンク３２が増大させて方向を上方への移動に変換し、第３リンク３３がヘルメット２４を第１位置Ｐ１から第２位置Ｐ２に移動させる。この逆に、第１リンク３１の上昇により、上述と逆の動作をして、第２位置Ｐ２にあったヘルメット２４を第１位置Ｐ１に復帰させる。
【００５４】
上述構成の回転式変化ペン１は、以下のように動作する。
【００５５】
図１に示すノックアップ時（ノック前、またはノック後の手を離した状態）には、ノック１３は、ホームポジションＰ３に配置される。この状態においては、芯１２は、外筒１１内に収納され、ヘルメット２４は第１位置Ｐ１に配置されて、ヘルメット２４の切欠部２４ｄから、例えば、頭部２３の表情Ｆ１が露出されている。
【００５６】
利用者が、ノック部１３をノックダウン（押下動作）して、ノック部１３をホームポジションＰ３から押圧位置Ｐ４に移動させる。これにより、ノック部１３と一体の筒状部材１６が下降し、回転芯出し機構１４を介して、芯１２が押し下げられて先端が突出されて筆記が可能となる。
【００５７】
一方、筒状部材１６が下降すると、これと一体の第１リンク３１が下降し、第２リンク３２が図１（Ｂ），図２（Ｂ）中の反時計回りに回転し、第３リンク３３がヘルメット２４を同方向に９０度回転させて、第１位置Ｐ１から第２位置Ｐ２に移動させる。このヘルメット２４の回転により、頭部２３が同方向に同じ角度だけ回転される。このとき、頭部２３は、表情Ｆ１から表情Ｆ２に代わっているが、第２位置Ｐ２に配置されたヘルメット２４により、利用者はこの変化を視認することができない。
【００５８】
つづいて、利用者がノック部１３から手を離すと、圧縮ばね１７の付勢力等により、ノック部１３は、押下位置Ｐ４からホームポジションＰ３に復帰する。同時に連動機構３０の第１リンク３１が上方に移動され、第２リンク３２、第３リンク３３を介して、ヘルメット２４が時計回りに回転されて、第２位置Ｐ２から第１位置Ｐ１に戻る。このとき、頭部２３は回転されないので、ヘルメット２４の切欠部２４ｄから表情Ｆ２が露出される。
【００５９】
このように、ノック部１３の１回のノックダウン、ノックアップにより、ヘルメット２４は、第１位置Ｐ１から第２位置Ｐ２移動して、頭部２３の顔部の位置に対応する部分を一旦隠した後、露出させる。一方、頭部２３は、顔部の位置に対応する部分が、表情Ｆ１から表情Ｆ２へと変化させている。
【００６０】
同様に、ノックダウン、ノックアップ行うことにより、ヘルメット２４は同様の顔部を隠した後、露出させる動作を繰り返し、一方、頭部２３は、表情Ｆ１→表情Ｆ２→表情Ｆ３→表情Ｆ４→表情Ｆ１→…と、変化させて行く。
【００６１】
このため、利用者には、意外性とともに、大変興趣のあるものとなる。
【００６２】
なお、上述の実施形態において、キャラクタ２０の胴部２１を省略することも可能である。この場合、例えば、胴部２１に代えて、外筒１１を基端側にさらに延長し、内側に連動機構３０の一部を収納できるようなスペースを確保すればよい。
【００６３】
図６（Ａ），（Ｂ），（Ｃ）に、被物の他の例を示す。なお、被物は、いずれも第１位置Ｐ１に配置された状態を示している。また、支持部材としての腕部２２等の図示は省略している。
【００６４】
（Ａ）は被物が帽子２４Ａである場合を、（Ｂ）は被物がかつら２４Ｂである場合を、（Ｃ）は被物が熊を模したフード２４Ｃである場合を示している。
【００６５】
さらに、上述では、回転体が球状の頭部２３である場合を説明したが、これに代えて、図７に示すように、円柱状のドラム４１であってもよい。図示例では、被物が、切欠部（窓部）４２ｄを有するテレビの枠体４２である。ドラム４１には、例えば、ドラム表面を周方向に４等分する位置のそれぞれに、図５（Ａ）〜（Ｄ）に示すような顔の表情Ｆ１〜Ｆ４を表示したり、テレビのチャンネルを表す数字を表示したりすることができる。本例では、一般に、動きそうもないと考えられる、テレビの枠体４２が第１位置Ｐ１と、第２位置（不図示）との間で移動するので、意外性を付加することができる。
【符号の説明】
【００６６】
１  回転式変化ペン
１０  筆記具本体
１２  芯
１３  ノック部
２０  キャラクタ
２１  胴部
２２  腕部（支持部材）
２３  頭部（回転体）
２４  ヘルメット（被物）
２４Ａ  帽子（被物）
２４Ｂ  かつら（被物）
２４Ｃ  フード（被物）
２５  第２ワンウェイクラッチ
２６  第１ワンウェイクラッチ
３０  連動機構
４１  ドラム（回転体）
４２  枠体（被物）
Ｆ１〜Ｆ４  表情
Ｐ１  第１位置
Ｐ２  第２位置
Ｐ３  ホームポジション
Ｐ４  押下位置
【図１】
0006054045.tif 000002
【図２】
0006054045.tif 000003
【図３】
0006054045.tif 000004
【図４】
0006054045.tif 000005
【図５】
0006054045.tif 000006
【図６】
0006054045.tif 000007
【図７】
0006054045.tif 000008